(57)【要約】【課題】使用済みインクリボンの文字跡間隔より狭いカッターナイフ配列による切断方式で、機構の簡素化と低コスト化を図れる使用済みインクリボン切断装置を提供する。【解決手段】並列に複数枚の鋭角な刃先を持つカッターナイフを装備したカッターユニットと、カッターナイフの切断部に使用済みインクリボンに張力が働くリボンガイドを設け、使用済みインクリボンの装着時、または装置の駆動時にカッターナイフの鋭角な刃先で使用済みインクリボンを突き破り、カッターナイフの刃部で使用済みインクリボンを短冊状に切断する構成にした。【選択図】図４
2013103496.tif 000002
【特許請求の範囲】
【請求項１】
並列に複数枚の鋭角な刃先を持つカッターナイフを装備したカッターユニットと、使用済みインクリボンに張力が働くリボンガイドを具え、使用済みインクボンの装着時或いは装置の駆動時に、カッターナイフの鋭角な刃先が使用済みインクリボンを突き破り、カッターナイフの刃部で切断する構成にしたことを特徴とする使用済みインクリボン切断装置。
【請求項２】
請求項目１記載のカッターナイフの刃厚は厚くても０．５ｍｍで、間隔は２ｍｍ以下に構成されていることを特徴とする使用済みインクリボン切断装置。
【請求項３】
使用済みインクリボンの搬送ガイド部材に使用済みインクリボンを挟み、エンコーダープレートを具えた回転自在のコロで加圧し、使用済みインクリボンの搬送状態を検知できる構成にしたことを特徴とする使用済みインクボン切断装置。
【発明の詳細な説明】
【技術分野】
【０００１】  本発明は、文字や画像情報の印刷で使用済となったインクリボンに印刷後に残った文字や画像情報を判読できなくする使用済みインクリボン切断装置に関するものである。
【背景技術】
【０００２】  銀行、駅、病院、ホテル、デパート、店舗、役所等々で、クレジットカード、定期券、航空劵、会員券、ポイントカード等の発行にサーマルプリンターが使用されているが、サーマルプリンターに使用した使用済みインクリボンには、カーボンコピーと同じ原理で、サーマルプリンターで印字した後、残画像が残り使用済みインクリボンから個人情報等の漏洩の恐れがある。【０００３】  使用済みインクリボンから個人情報等の漏洩を防止するため、従来、使用済みインクリボンの幅方向にカッター刃すなわちカッターナイフを並べ、短冊状に切断する方式がある。以下カッターナイフと称す。
しかし、カッターナイフを使用して使用済みインクリボンの残画像の文字間隔より狭い間隔で短冊状に切断するのは困難であるとして、カッターナイフで使用済みインクリボンを短冊状に切断した後、紐状に束ね、紐状の使用済みインクリボンを切断する方式等が提案されている。（特許文献１，２参照）【０００４】  また、インクリボンカートリッジの印字ヘッドの下流にカッターナイフを設け、印字後のインクリボンを短冊状に切断する方式が提案されている。（特許文献３参照）【０００５】
【先行技術文献】
【特許文献】
【０００６】
【特許文献１】  特開２０１０−２７４４７８
【特許文献２】  特開２００５−５９２７２
【特許文献３】  特開平２−７０４７５
【発明の概要】
【発明が解決しようとする課題】
【０００７】  従来、カッターナイフを使用して使用済みインクリボンを短冊状に切断する方式では、上記特許文献２の発明が解決しようとする課題にも記載されているように、使用済みインクリボンの印字跡を読み取りが不可能な程度に切断するのは困難である。このような切断方法で認識が不可能な程度に切断するには、印字跡の文字跡間隔より狭いストロークで切断するか、または印字配列跡の間隔より狭い間隔で切断する必要があるが、実際は困難である。と、されているように文字跡間隔より狭いカッターナイフの配列は困難とされていた。【０００８】  カッターナイフの切断方式で、使用済みインクリボンを印字跡の文字跡間隔より狭い間隔で切断できない要因は、複数枚のカッターナイフを狭い間隔に配置すると、カッターナイフは、ブロック化現象を起こし、カッターナイフの切断機能がなくなってしまうためである。【０００９】  本発明は、カッターナイフを並列に配置した方式で使用済みインクリボンの文字跡間隔より狭い間隔でもカッターナイフの切断の機能を生かす形態とすることで、機構の簡素化と装置の低コスト化を図れる使用済みインクリボン切断装置を提供することを目的とするものである。
【課題を解決するための手段】
【００１０】  本発明は、上記目的を達成するために、並列に複数枚の鋭角な刃先を持つカッターナイフを装備したカッターユニットと、カッターナイフの切断部で、使用済みインクリボンに張力が働くリボンガイドを設け、使用済みインクボン切断装置へ使用済みインクリボンの装着時、または装置の駆動時にカッターナイフの鋭角な刃先で使用済みインクリボンを突き破り、カッターナイフの刃部で使用済みインクリボンを短冊状に切断する構成にしたことを特徴としている。
このような構成によれば、使用済みインクリボンの切断途中で装置の駆動を停止した時、使用済みインクリボンに弛みが生じてカッターナイフから外れても、装置の再駆動時、張力が働き、使用済みインクリボンをカッターナイフの刃先で突き破り、カッターナイフの刃部で短冊状の切断ができる。【００１１】  また、上記構成において、カッターユニットに装備されたカッターナイフは、刃厚は厚くても０．５ｍｍで、２ｍｍ以下の間隔で構成されていることを特徴としている。
使用済みインクリボンの残画像の印字跡の大きさと印字配列跡の間隔は２ｍｍ以上であり、本発明の装置で短冊状に切断された処理後の使用済みインクリボンから文字跡の読み取りを防止することができる【００１２】  また、使用済みインクリボンの搬送ガイド部材に、使用済みインクリボンを挟み、回転軸にエンコーダープレートを装備した回転自在の検知コロで与圧を加える構成とし、使用済みインクリボンの搬送状態を検知できる構成としたことを特徴としている。
この構成の機構により、使用済みインクリボン切断装置が作動中に発生するリボン切れなどのトラブル、リボンの切断終了などを検知し、装置の作動を停止させることができる。【００１３】  従来カッターナイフを使用して使用済みインクリボンを短冊状に切断する方法では、文字跡間隔より狭いカッターナイフの配列は困難とされてきた。
上述したように本発明の使用済みインクリボン切断装置は、張力が働いた使用済みインクリボンに対して、まずカッターナイフの鋭角な刃先で使用済みインクリボンを突き破り、短冊状の切断はカッターナイフの刃部で行う構成であるため、機構の簡素化と低コストの使用済みインクリボン切断装置を提供することができる。【００１４】  また、使用済みインクリボンを挟んで、搬送ガイド部に加圧した検知コロによって、使用済みインクリボン切断装置の作動中のトラブルや切断終了の検知を容易に行うことができる。
【図面の簡単な説明】
【００１５】
【図１】  本装置の使用済みインクリボン装着時を示す断面図
【図２】  本装置のセット状態を示す断面図
【図３】  本装置のカッターユニットの分解斜視図
【図４】  本装置の使用済みインクリボン切断を示す斜視図
【図５】  本装置の使用済みインクリボン切断時の断面図
【発明を実施するための形態】
【００１６】  以下、本発明による使用済みインクリボン切断装置の実施形態を図によって説明する。
【００１７】  図１において、本装置のフレーム１に設けられた回転軸２を支点として上フレーム３は開閉でき、上フレーム３が開いた状態で、リボンスプール４より文字跡や画像跡が残る使用済みインクリボン５を引き出し、巻取りスプール６に使用済みインクリボン５の端面を固定し、リボンスプール４の回転軸４Ａをフレーム１のリボン保持部１Ａにセットする。
【００１８】  上フレーム３にはカッターユニット７、リボンガイド軸８、リボン搬送用の従動ローラ９が装備されており、フレーム１にはリボン搬送用の主動ローラ１０、リボンガイド軸１１Ａ、１１Ｂ、１１Ｃが装備されている。また、リボンスプール４は、図示されていないばねによって加圧されており、リボンスプール４の自由な回転を防止している。
【００１９】  図２において、上フレーム３を本装置のセット位置にセットすると、上フレーム３のリボンガイド軸８、従動ローラ９およびカッターユニット７に装備されているリボンガイド軸７Ａと、フレーム１に装備されているリボンガイド軸１１Ａ、１１Ｂ、１１Ｃ、主動ローラ１０によって、使用済みインクリボン５の弛みが無くなり、使用済みインクリボン５に張力が働く。
【００２０】  本装置を駆動すると、使用済みインクリボン５は、主動ローラ１０と従動ローラ９によってリボンスプール４より引き出される。
主動ローラ１０、従動ローラ９とリボンガイド軸１１Ｃの上流にカッターユニット７が配置されており、使用済みインクリボン５は、カッターユニット７のカッターナイフ１２により短冊状に切断され、短冊状に切断された使用済みインクリボン５は、巻取りスプール６によって巻取られる。
【００２１】  主動ローラ１０、従動ローラ９と巻取りスプール６との間には、短冊状に切断された使用済みインクリボン５を横方向にカットできるように使用済みインクリボン５の搬送路の外に丸カッターユニット１３が配備されている。
【００２２】  図３において、カッターユニット７の複数枚のカッターナイフ１２は、カッター保持軸１４で保持され、各カッターナイフ間にはスペーサー１３が組込まれている。使用済みインクリボンの切断間隔は各カッターナイフ１２のスペーサー１３の厚さによって決められる。また、カッターナイフ１２の左右両端は止めカラー１５によって固定されている。
リボンガイド軸７Ａを装備したカッターケース１６の位置決めガイド１６Ａにカッターナイフ保持軸１４をセットした後、ケースカバー１８でカッターナイフ保持軸１４の横移動を固定し、ユニット支持軸１７とネジ１９でケースカバー１８を固定することで、カッターナイフ１２はカッターケース１６とケースカバー１８により回転不可に固定される。
【００２３】  カッターナイフ１２の刃先１２Ａは鋭角になっており、刃厚は厚くても０．５ｍｍで、スペーサー１３の厚さは、カッターナイフ１２の間隔が２ｍｍ以下となる厚さで構成する。
カッターナイフ１２の間隔を２ｍｍ以下にすることで切断された処理後の使用済みインクリボン５から文字跡の読み取りを防止することができる。
【００２４】  巻取りスプール６に使用済みインクリボン５の端面を固定し、リボンスプール４の回転軸４Ａをフレーム１のリボン保持部１Ａにセットし、上フレーム３を本装置のセット状態にする時、図４，図５において、使用済みインクリボン５に張力が働くため、カッターユニット７に装備されているカッターナイフ１２の刃先１２Ａが使用済みインクリボン５を突き破る。
【００２５】  カッターナイフ１２の先端１２Ａが使用済みインクリボン５を突き破った状態で主動ローラ１０および従動ローラ９によって使用済みインクリボン５がリボンスプール４より引き出されると、使用済みインクリボン５は、カッターユニット７のリボンガイド軸７Ａとケースカバー１８のエッヂ部１８Ａによってガイドされ、カッターナイフ１２の刃部１２Ｂで連続して切断される。
【００２６】  本装置のセット時や駆動中に使用済みインクリボン５に弛みが生じ、或いは本装置の駆動停止時に弛みが発生し、使用済みインクリボン５が図５に示す５Ａの状態になった時、主動ローラ１０，従動ローラ９によって使用済みインクリボン５が搬送されると、カッターユニット７のリボンガイド軸７Ａとケースカバー１８のエッヂ部１８Ａにより使用済みインクリボン５に張力が働き、カッターナイフ１２の先端１２Ａが使用済みインクリボン５を再度突き破り、カッターナイフ１２の刃部１２Ｂで連続して短冊状に切断される。
【００２７】  図２において、検知コロ２０は、使用済みインクリボン５を挟み上フレーム３に装備されているリボンガイド軸８に接するように配置されており、アーム２３によって加圧されている。
検知コロ２０の同軸上にはエンコーダープレート２１を有し、エンコーダープレート２１にはフォトセンサー２２で回転の有無を検知する切欠２１Ａが設けてある。
【００２８】  本装置の切断作動中は、使用済みインクリボン５を介して検知コロ２０は連れ回りするが、使用済みインクリボン５が破れたり切れるなどのトラブル時や使用済みインクリボン５の切断作動が終了すると、検知コロ２０の回転が停止し、エンコーダープレート２１の停止をフォトセンサー２２が検知して本装置の作動を停止する。
【符号の説明】
【００２９】  １    フレーム
３    上フレーム
４    リボンスプール
５    使用済みインクリボン
６    巻取りスプール
７    カッターユニット
７Ａ  リボンガイド軸
８    リボンガイド軸
９    従動ローラ
１０    主動ローラ
１１Ａ  リボンガイド軸
１１Ｂ  リボンガイド軸
１１Ｃ  リボンガイド軸
１２    カッターナイフ
１６    カッターケース
１８    ケースカバー
１８Ａ  エッヂ部
２０    検知コロ
２１    エンコーダープレート
【図１】
2013103496.tif 000003
【図２】
2013103496.tif 000004
【図３】
2013103496.tif 000005
【図４】
2013103496.tif 000006
【図５】
2013103496.tif 000007